(57)【要約】  必要最小限のハードウェア構成を有する情報機器とハイブリッドディスクとにより種々の機能を実現する。多目的情報機器（１）は、アプリケーションソフトウェアと、アプリケーションソフトウェアの機能に対応するディスク機能ＩＤとが記録された書換不可能層と、書換不可能層に積層された書換可能層とを有するハイブリッドディスク（１５）を駆動するドライブ装置（５）を備え、多目的情報機器の機能に対応する機器機能ＩＤが記録された不揮発性メモリ（４）と、ハイブリッドディスク（１５）の書換不可能層に記録されたディスク機能ＩＤが、不揮発性メモリ（４）に記録された機器機能ＩＤと対応するか否かを判定する判定部（２）と、ディスク機能ＩＤが機器機能ＩＤと対応すると判定された時に、書換不可能層からアプリケーションソフトウェアを読み込んで実行し、アプリケーションソフトウェアの実行に関連するデータを書換可能層に書き込む実行部（３）とを備えている。
2011096565.tif 000002
【特許請求の範囲】
【請求項１】
アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器であって、
前記多目的情報機器の機能に対応付けられた機器機能ＩＤが記録されたメモリと、
前記ドライブ手段によって駆動されたハイブリッドディスクの書換不可能層に記録されたディスク機能ＩＤが、前記メモリに記録された機器機能ＩＤと対応するか否かを判定する判定手段と、
前記判定手段により前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込む実行手段とを備えたことを特徴とする多目的情報機器。
【請求項２】
外部デバイスを接続するための外部インターフェースと、
前記外部インターフェースに接続された外部デバイスの種類に応じて、前記メモリに記録された機器機能ＩＤを更新するＩＤ更新手段とをさらに備える請求項１記載の多目的情報機器。
【請求項３】
前記機器機能ＩＤは、モバイル機器の機能を表すＩＤと、
ナビゲーション機器の機能を表すＩＤと、
ハイブリッドディスクレコーダの機能を表すＩＤとを含む請求項１記載の多目的情報機器。
【請求項４】
前記機器機能ＩＤは、ナビゲーション機器の機能とネットワーク機能とを表すＩＤを含む請求項１記載の多目的情報機器。
【請求項５】
アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器の動作方法であって、
前記多目的情報機器は、前記多目的情報機器の機能に対応付けられた機器機能ＩＤが記録されたメモリをさらに備えており、
前記ドライブ手段によって駆動されたハイブリッドディスクの書換不可能層に記録されたディスク機能ＩＤが、前記メモリに記録された機器機能ＩＤと対応するか否かを判定し、
前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込むことを特徴とする多目的情報機器の動作方法。
【請求項６】
アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器を動作させるためのプログラムであって、
前記多目的情報機器は、前記多目的情報機器の機能に対応付けられた機器機能ＩＤが記録されたメモリをさらに備えており、
前記ドライブ手段によって駆動されたハイブリッドディスクの書換不可能層に記録されたディスク機能ＩＤが、前記メモリに記録された機器機能ＩＤと対応するか否かを判定する手順と、
前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込む手順とを実行させることを特徴とするプログラム。
【請求項７】
アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器を動作させるためのプログラムを記録したコンピュータ読み取り可能な記録媒体であって、
前記多目的情報機器は、前記多目的情報機器の機能に対応付けられた機器機能ＩＤが記録されたメモリをさらに備えており、
前記ドライブ手段によって駆動されたハイブリッドディスクの書換不可能層に記録されたディスク機能ＩＤが、前記メモリに記録された機器機能ＩＤと対応するか否かを判定する手順と、
前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込む手順とを実行させるためのプログラムを記録したことを特徴とするコンピュータ読み取り可能な記録媒体。
【請求項８】
アプリケーションソフトウェアと、前記アプリケーションソフトウェアの機能に対応付けられたディスク機能ＩＤとが記録された書換不可能層と、前記書換不可能層に積層された書換可能層とを有する光記録媒体であって、
前記ディスク機能ＩＤは、前記光記録媒体を駆動する多目的情報機器に記録されて前記多目的情報機器の機能に対応付けられた機器機能ＩＤと対応すると判定された時に、前記書換不可能層から前記アプリケーションソフトウェアが前記多目的情報機器に読み込まれて実行され、前記アプリケーションソフトウェアの実行に関連するデータが前記書換可能層に書き込まれることを特徴とする光記録媒体。
【発明の詳細な説明】
【技術分野】
【０００１】
本発明は、アプリケーションソフトウェアと、このアプリケーションソフトウェアの機能に対応付けられたディスク機能ＩＤとが記録された書換不可能層と、この書換不可能層に積層された書換可能層とを有するハイブリッドディスクを駆動するドライブ装置を備えた多目的情報機器に関する。
【背景技術】
【０００２】
ノートＰＣや携帯電話などモバイル機器の普及により、ユーザーがあらゆる場所で、必要とする機能を実現することが可能となってきた。しかしながら、ノートＰＣや携帯電話においては、以下のような課題が存在する。ノートＰＣなどの汎用的な機能を満たす機器では、ＨＤＤなどの大容量記憶デバイスを必要とし、そのため価格も高くなり、重量も大きくなってしまうという欠点がある。また、必要なソフトウェアは、ＣＤやＤＶＤなどのメディアから一旦ＨＤＤなどの内蔵記憶領域にコピーする必要があるため、格納できるソフトウェアの数に制限が生じてしまう。【０００３】
携帯電話などの小型モバイル機器では、ＨＤＤなどの大容量の記憶領域を持たないため、利用できるソフトウェアの機能は制限されてしまう。【０００４】
そこで光学ディスクを用いて、書き換え不可能な層（ＲＯＭ層）にアプリケーションプログラムを格納し、書き換え可能な層（ＲＥ層）にデータを読み書きする機器が提案されている（特許文献１）。
【先行技術文献】
【特許文献】
【０００５】
【特許文献１】日本国公開特許公報  特開２００９−１９３６３３号公報（２００９年８月２７日公開）
【発明の概要】
【発明が解決しようとする課題】
【０００６】
しかしながら、上記特許文献１において提案されている機器においても、なお、特定の機器に対応する機能は制限されているため、自由にメディアを入れ替えて使うことはできず、ユーザーに不都合を生じさせてしまう場合がある。【０００７】
本発明の目的は、必要最小限のハードウェア構成を有する情報機器と、書換不可能層と書換可能層とが積層されたハイブリッドディスクとを組み合わせることにより種々の機能を実現することができる多目的情報機器、その動作方法、プログラム、コンピュータ読み取り可能な記録媒体、光記録媒体を提供することにある。
【課題を解決するための手段】
【０００８】
本発明に係る多目的情報機器は、アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器であって、前記多目的情報機器の機能に対応付けられた機器機能ＩＤが記録されたメモリと、前記ドライブ手段によって駆動されたハイブリッドディスクの書換不可能層に記録されたディスク機能ＩＤが、前記メモリに記録された機器機能ＩＤと対応するか否かを判定する判定手段と、前記判定手段により前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込む実行手段とを備えたことを特徴とする。【０００９】
この特徴により、多目的情報機器は、記録されたアプリケーションソフトウェアの機能に対応付けられたディスク機能ＩＤが、多目的情報機器の機能に対応付けられた機器機能ＩＤと一致したときに動作する。このため、ハイブリッドディスクの書換不可能層に記録されたディスク機能ＩＤの種類に応じて、情報機器を多目的に使用することができる。【００１０】
本発明に係る多目的情報機器の動作方法は、アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器の動作方法であって、前記多目的情報機器は、前記多目的情報機器の機能に対応付けられた機器機能ＩＤが記録されたメモリをさらに備えており、前記ドライブ手段によって駆動されたハイブリッドディスクの書換不可能層に記録されたディスク機能ＩＤが、前記メモリに記録された機器機能ＩＤと対応するか否かを判定し、前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込むことを特徴とする。【００１１】
本発明に係るプログラムは、アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器を動作させるためのプログラムであって、前記多目的情報機器は、前記多目的情報機器の機能に対応付けられた機器機能ＩＤが記録されたメモリをさらに備えており、前記ドライブ手段によって駆動されたハイブリッドディスクの書換不可能層に記録されたディスク機能ＩＤが、前記メモリに記録された機器機能ＩＤと対応するか否かを判定する手順と、前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込む手順とを実行させることを特徴とする。【００１２】
本発明に係るコンピュータ読み取り可能な記録媒体は、アプリケーションソフトウェアと、前記アプリケーションソフトウェアの機能に対応付けられたディスク機能ＩＤとが記録された書換不可能層と、前記書換不可能層に積層された書換可能層とを有するハイブリッドディスクを駆動するドライブ手段を備えた多目的情報機器を動作させるためのプログラムを記録したコンピュータ読み取り可能な記録媒体であって、前記多目的情報機器は、前記多目的情報機器の機能に対応付けられた機器機能ＩＤが記録されたメモリをさらに備えており、前記ドライブ手段によって駆動されたハイブリッドディスクの書換不可能層に記録されたディスク機能ＩＤが、前記メモリに記録された機器機能ＩＤと対応するか否かを判定する手順と、前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込む手順とを実行させるためのプログラムを記録したことを特徴とする。【００１３】
本発明に係る光記録媒体は、アプリケーションソフトウェアと、前記アプリケーションソフトウェアの機能に対応付けられたディスク機能ＩＤとが記録された書換不可能層と、前記書換不可能層に積層された書換可能層とを有する光記録媒体であって、前記ディスク機能ＩＤは、前記光記録媒体を駆動する多目的情報機器に記録されて前記多目的情報機器の機能に対応付けられた機器機能ＩＤと対応すると判定された時に、前記書換不可能層から前記アプリケーションソフトウェアが前記多目的情報機器に読み込まれて実行され、前記アプリケーションソフトウェアの実行に関連するデータが前記書換可能層に書き込まれることを特徴とする。
【発明の効果】
【００１４】
本発明に係る多目的情報機器は、前記ドライブ手段によって駆動されたハイブリッドディスクの書換不可能層に記録されたディスク機能ＩＤが、前記メモリに記録された機器機能ＩＤと対応するか否かを判定する判定手段と、前記判定手段により前記ディスク機能ＩＤが前記機器機能ＩＤと対応すると判定された時に、前記ハイブリッドディスクの書換不可能層から前記アプリケーションソフトウェアを読み込んで実行し、前記アプリケーションソフトウェアの実行に関連するデータを前記ハイブリッドディスクの書換可能層に書き込む実行手段とを備えたので、ハイブリッドディスクの書換不可能層に記録されたディスク機能ＩＤの種類に応じて、情報機器を多目的に使用することができ、必要最小限のハードウェア構成を有する情報機器とハイブリッドディスクとを組み合わせて種々の機能を実現することができる。
【図面の簡単な説明】
【００１５】
【図１】実施の形態に係る多目的情報機器の構成を示すブロック図である。
【図２】上記多目的情報機器によって駆動されるハイブリッドディスクの構成を示す模式図である。
【図３】上記多目的情報機器の動作を説明するためのブロック図である。
【図４】上記多目的情報機器の他の動作を説明するためのブロック図である。
【図５】上記多目的情報機器のさらに他の動作を説明するためのブロック図である。
【図６】上記多目的情報機器のさらに他の動作を説明するためのブロック図である。
【図７】上記多目的情報機器のさらに他の動作を説明するためのブロック図である。
【図８】上記多目的情報機器の動作を示すフローチャートである。
【図９】上記多目的情報機器に記録される機器機能ＩＤの追加・廃止方法を説明するための図である。
【発明を実施するための形態】
【００１６】
本発明の多目的情報機器に関する実施形態について、図１〜図９に基づいて説明すれば、以下のとおりである。
【００１７】
（多目的情報機器の構成）
図１は、実施の形態に係る多目的情報機器１の構成を示すブロック図である。多目的情報機器１は、ＣＰＵを含む処理装置１９と、ＦＬＡＳＨメモリによって構成されて処理装置１９に接続され、多目的情報機器１の機能に対応付けられた機器機能ＩＤが記録された不揮発性メモリ４と、ＤＲＡＭによって構成されて処理装置１９に接続された作業用メモリ１８と、外部機器２０と接続するために処理装置１９と接続して設けられた外部インターフェース６と、ハイブリッドディスク１５を駆動するために処理装置１９と接続して設けられたドライブ装置５とを備えている。
【００１８】
図２は、ハイブリッドディスク１５の構成を示す模式図である。ハイブリッドディスク１５は、書換不可能層（ＲＯＭ層）１６と、このＲＯＭ層１６に積層された書換可能層（ＲＥ層）１７とを有している。書換不可能層１６には、アプリケーションソフトウェアと、このアプリケーションソフトウェアの機能に対応付けられたディスク機能ＩＤとが記録されている。
【００１９】
再び図１を参照すると、多目的情報機器１には、判定部２が設けられている。判定部２は、ドライブ装置５によって駆動されたハイブリッドディスク１５の書換不可能層１６に記録されたディスク機能ＩＤが、不揮発性メモリ４に記録された機器機能ＩＤと一致するか否かを判定する。多目的情報機器１は、実行部３を備えている。実行部３は、判定部２により、ディスク機能ＩＤが機器機能ＩＤと一致すると判定された時に、ハイブリッドディスク１５の書換不可能層１６からアプリケーションソフトウェアを読み込んで実行し、このアプリケーションソフトウェアの実行に関連するデータをハイブリッドディスク１５の書換可能層１７に書き込む。
【００２０】
（多目的情報機器の動作）
図３は、多目的情報機器１の動作を説明するためのブロック図である。図１及び図２を参照して前述した構成要素と同一の構成要素には同一の参照符号を付している。これらの構成要素の詳細な説明は省略する。
【００２１】
多目的情報機器１の外部インターフェース６には、モニター７とキーボード８とマウス９とからなる外部機器２０が接続されており、多目的情報機器１は、複数のＯＳに対応したモバイルコンピュータとして動作する。
【００２２】
処理装置１９のＣＰＵは、汎用のＰＣ向けのものを搭載し、多目的情報機器１は、表示装置（モニター７）、キーボード８、マウス９などの周辺機器を接続したモバイル機器とする。不揮発性メモリ４にはＢＩＯＳが格納されている。またこの構成によって実現可能なモバイルコンピュータとしての機能を示す機器機能ＩＤ（図３に示す例ではＩＤ＝１）を不揮発性メモリ４に記録しておく。
【００２３】
ハイブリッドディスク１５の書換不可能層１６には、ディスク機能ＩＤ（ＩＤ＝１）と、ＯＳと、アプリケーションソフトウェアとが記録されている。書換可能層１７には、アプリケーションデータとユーザーデータとが記録されている。このアプリケーションソフトウェアは、多目的情報機器１のモバイルコンピュータとしての機能を実現するソフトウェアであり、ディスク機能ＩＤ（ＩＤ＝１）は、当該モバイルコンピュータとしての機能を実現するアプリケーションソフトウェアに対応付けられている。
【００２４】
ユーザーは好みのＯＳが記録されているハイブリッドディスク１５のメディアを購入し、そのハイブリッドディスク１５を、多目的情報機器１に設けられたドライブ装置５に挿入する。多目的情報機器１に設けられた判定部２は、ドライブ装置５に挿入されたハイブリッドディスク１５の書換不可能層１６から読み取ったディスク機能ＩＤが、不揮発性メモリ４に記録された機器機能ＩＤと一致するか否かを判定する。
【００２５】
書換不可能層１６から読み取ったディスク機能ＩＤが、不揮発性メモリ４に記録された機器機能ＩＤと一致して、パーソナルコンピュータとしてのディスク機能ＩＤ（ＩＤ＝１）を読み取ることができたら、次に、実行部３は、書換不可能層１６からＯＳ（オペレーティングシステム）を読み出し、通常のパーソナルコンピュータとして起動を行う。その後、実行部３は、書換不可能層１６からアプリケーションソフトウェアを読み込んで実行する。このアプリケーションソフトウェアに関連してユーザーが作成したデータ（アプリケーションデータ）は、実行部３が書換可能層１７に記録する。ユーザー設定（ユーザーデータ）なども書換可能層１７に記録することができる。
【００２６】
図４は、多目的情報機器１の他の動作を説明するためのブロック図である。図１及び図２を参照して前述した構成要素と同一の構成要素には同一の参照符号を付している。これらの構成要素の詳細な説明は省略する。
【００２７】
多目的情報機器１の外部インターフェース６には、ＧＰＳアンテナ１０とタッチパネルモニター１１とからなる外部機器２０Ａが接続されており、多目的情報機器１は、ナビゲーション機器として動作する。そして、この構成によって実現可能なナビゲーション機器としての機能を示す機器機能ＩＤ（図４に示す例ではＩＤ＝２）を不揮発性メモリ４に記録しておく。
【００２８】
ハイブリッドディスク１５の書換不可能層１６には、ディスク機能ＩＤ（ＩＤ＝２）と、ナビゲーションソフトと、地図情報とが記録されている。書換可能層１７には、ユーザーデータと軌跡情報と地図更新データとが記録されている。
【００２９】
ユーザーは、自分の居住している地域に合わせたナビゲーションソフトを収録したハイブリッドディスク１５を購入し、多目的情報機器１のドライブ装置５に挿入する。多目的情報機器１の判定部２は、書換不可能層１６から読み取ったディスク機能ＩＤが、不揮発性メモリ４に記録された機器機能ＩＤと一致するか否かを判定する。
【００３０】
書換不可能層１６から読み取ったディスク機能ＩＤが、不揮発性メモリ４に記録された機器機能ＩＤと一致して、ナビゲーション機器としてのディスク機能ＩＤ（ＩＤ＝２）を読み取ることができたら、次に、実行部３は、書換不可能層１６に格納されたナビゲーションソフトを起動する。そして、実行部３は、地図情報の更新データ、ユーザーが通ったルート、ユーザーが登録したブックマーク等を書換可能層１７に記録する。
【００３１】
図５は、多目的情報機器１のさらに他の動作を説明するためのブロック図である。多目的情報機器１の外部インターフェース６には、キーボード８とマウス９とＧＰＳアンテナ１０とタッチパネルモニター１１とからなる外部機器２０Ｂが接続されている。この構成によっては、ＰＣとしての機能と、ナビゲーション機器としての機能との双方を実現することができるので、ＰＣとしての機能を示す機器機能ＩＤ（ＩＤ＝１）と、ナビゲーション機器としての機能を示す機器機能ＩＤ（ＩＤ＝２）とを不揮発性メモリ４に記録しておく。
【００３２】
あるいは、図３に示す多目的情報機器の構成において、ＵＳＢなどにより外部インターフェース６を構成して、ＧＰＳアンテナ１０が外部インターフェース６に接続可能な構成とすると、ユーザーはＧＰＳアンテナ１０を別途購入して、多目的情報機器１の外部インターフェース６に装着する。ＧＰＳアンテナ１０が装着され、そして、タッチパネルモニター１１が装着されると、不揮発性メモリ４にナビゲーション機能を示す機器機能ＩＤ（ＩＤ＝２）が追加登録される。ユーザーがナビゲーション機能に対応するディスク機能ＩＤ（ＩＤ＝２）が書換不可能層１６に記録されたハイブリッドディスク１５をドライブ装置５に挿入すると、機器機能ＩＤとディスク機能ＩＤとが一致するので多目的情報機器１はナビゲーション機器として機能するようになる。
【００３３】
図６は、多目的情報機器１のさらに他の動作を説明するためのブロック図である。多目的情報機器１の外部インターフェース６には、キーボード８とマウス９とＨＤＭＩ１２とデジタルチューナー１３とからなる外部機器２０Ｃが接続されており、多目的情報機器１は、ハイブリッドディスクレコーダーとして動作する。
【００３４】
ハイブリッドディスク１５の書換不可能層１６には、デジタル放送録画機能に対応するディスク機能ＩＤ（ＩＤ＝３）と、選局ソフトウェアと、録画ソフトウェアと、再生ソフトウェアとが記録されている。書換可能層１７には、録画コンテンツと予約情報と選局情報とが記録されている。
【００３５】
キーボード８とマウス９とが外部インターフェース６に接続された多目的情報機器１に、ＨＤＭＩ１２とデジタルチューナー１３とを追加して接続すると、モバイルコンピュータとしての機能に対応する機器機能ＩＤ（ＩＤ＝１）が記録された不揮発性メモリ４に、デジタル放送録画機能を示す機器機能ＩＤ（ＩＤ＝３）が追加して登録される。書換不可能層１６に録画アプリケーションソフトを格納したハイブリッドディスク１５をドライブ装置５に挿入し、書換不可能層１６に記録されたディスク機能ＩＤと、不揮発性メモリ４に記録された機器機能ＩＤとが一致すると、この多目的情報機器１（モバイル機器）は録画機能を実現する。すなわち、判定部２は、書換不可能層１６に格納された録画アプリケーションソフトを起動し、実行部３は、デジタルチューナー１３から入力した放送ストリームを書換可能層１７に記録することで、デジタル放送録画システムを実現する。
【００３６】
図７は、多目的情報機器１のさらに他の動作を説明するためのブロック図である。多目的情報機器１の外部インターフェース６には、ＧＰＳアンテナ１０とタッチパネルモニター１１とネットワーク機器１４とからなる外部機器２０Ｄが接続されており、多目的情報機器１は、ネットワーク拡張機能を備えたナビゲーション機器として動作する。ＧＰＳアンテナ１０とタッチパネルモニター１１とが接続された外部インターフェース６に、さらにネットワーク機器１４が接続されると、多目的情報機器１に設けられたＩＤ更新部（ＩＤ更新手段）により、不揮発性メモリ４の機器機能ＩＤは「２」から「２−１」に更新される。この機器機能ＩＤ「２−１」は、ディスク機能ＩＤ「２」及び「２−１」に対応付けられている。
【００３７】
ハイブリッドディスク１５の書換不可能層１６には、ナビゲーション機能に対応するディスク機能ＩＤ（ＩＤ＝２）と、ナビゲーションソフトウェアと、地図情報とが記録されている。書換可能層１７には、ネットワーク拡張機能に対応するディスク機能ＩＤ（ＩＤ＝２−１）と、ユーザーデータと、軌跡情報と、地図更新データと、ネットワーク接続ソフトウェアとが記録されている。
【００３８】
ユーザーは、ナビゲーションソフトを収録したハイブリッドディスク１５を多目的情報機器１のドライブ装置５に挿入する。多目的情報機器１の判定部２は、書換不可能層１６から読み取ったディスク機能ＩＤが、不揮発性メモリ４に記録された機器機能ＩＤと対応付けられているか否かを判定する。
【００３９】
書換不可能層１６から読み取ったディスク機能ＩＤ（ＩＤ＝２）は、不揮発性メモリ４に記録された機器機能ＩＤ（ＩＤ＝２−１）と対応付けられているので、次に、実行部３は、書換不可能層１６からナビゲーションソフトを起動する。そして、実行部３は、書換可能層１７に記録されたディスク機能ＩＤが、不揮発性メモリ４に記録された機器機能ＩＤと対応付けられているか否かを判断する。書換可能層１７に記録されたディスク機能ＩＤ（ＩＤ＝２−１）は、不揮発性メモリ４に記録されたディスク機能ＩＤ（ＩＤ＝２−１）に対応付けられているので、実行部３は、書換可能層１７に記録されたネットワーク接続ソフトウェアを起動して、ネットワーク機能を実行する。
【００４０】
このように、書換不可能層１６に基本機能のソフトウェアを格納し、書換可能層１７に拡張機能のソフトウェアを追加することにより、書換不可能層１６に積層された書換可能層１７を有するハイブリッドディスク１５のメリットを生かすことができる。
【００４１】
図８は、多目的情報機器１の動作を示すフローチャートである。まず、多目的情報機器１に設けられたドライブ装置５にハイブリッドディスク１５を挿入する（ステップＳ１）。次に、多目的情報機器１の判定部２は、ハイブリッドディスク１５に形成された書換不可能層１６からディスク機能ＩＤを読み取る（ステップＳ２）。その後、判定部２は、書換不可能層１６から読み取ったディスク機能ＩＤが、不揮発性メモリ４に格納された機器機能ＩＤと対応付けられているか否かを判定する（ステップＳ３）。
【００４２】
書換不可能層１６から読み取ったディスク機能ＩＤが、不揮発性メモリ４に格納された機器機能ＩＤと対応付けられていると判定したときは（ステップＳ３においてＹＥＳ）、実行部３は、ハイブリッドディスク１５の書換不可能層１６に格納されたアプリケーションプログラムを起動する（ステップＳ４）。
【００４３】
書換不可能層１６から読み取ったディスク機能ＩＤが、不揮発性メモリ４に格納された機器機能ＩＤと対応付けられていないと判定したときは（ステップＳ３においてＮＯ）、ハイブリッドディスク１５を自動的にイジェクトする（ステップＳ５）。
【００４４】
（機器機能ＩＤの追加・廃止方法）
図９は、多目的情報機器１に記録される機器機能ＩＤの追加・廃止方法を説明するための図である。機器機能ＩＤ（ＩＤ＝１、２、及び３）ごとに、必須の外部接続機器を「０」と設定した図９に示すテーブルが、多目的情報機器１の作業用メモリ１８に記録されている。図９に示す例では、パーソナルコンピュータの機能に対応付けられた機器機能ＩＤ（ＩＤ＝１）については、キーボード、マウス、及びモニターは、それぞれ「０」に設定されており。残りのＧＰＳ、タッチパネル、ＨＤＭＩ、チューナーは、それぞれ「１」に設定されている。ナビゲーション機器の機能に対応付けられた機器機能ＩＤ（ＩＤ＝２）については、ＧＰＳ、及びタッチパネルが、それぞれ「０」に設定されており、残りのデバイスは「１」に設定されている。ハイブリッドディスクレコーダーの機能に対応付けられた機器機能ＩＤ（ＩＤ＝３）については、ＨＤＭＩ、及びチューナーが、それぞれ「０」に設定されており、残りのデバイスは「１」に設定されている。
【００４５】
各デバイスが、多目的情報機器１の外部インターフェース６に接続されると、そのデバイスの値は、すべての機器機能ＩＤ（ＩＤ＝１、２、及び３）について、「１」に更新される。各機器機能ＩＤごとに、すべてのデバイスの値の論理和が「１」になったら、即ち、すべてのデバイスの値が「１」になったら、当該機器機能ＩＤが、不揮発性メモリ４に追加される。例えば、パーソナルコンピュータの機能に対応付けられた機器機能ＩＤ（ＩＤ＝１）の場合、キーボード、マウス、及びモニターの値がすべて「１」に更新されると、条件が揃い、機器機能ＩＤ（ＩＤ＝１）が不揮発性メモリ４に追加される。
【００４６】
各デバイスが外部インターフェース６から切り離されると、当該デバイスの値は、対応する機器機能ＩＤ（ＩＤ＝１、２、及び３のいずれか）について「０」に更新される。例えば、ＧＰＳアンテナ１０が外部インターフェース６から切り離されると、ＧＰＳの値は、ナビゲーション機器に対応付けられた機器機能ＩＤ（ＩＤ＝２）について「０」に更新される。各機器機能ＩＤごとに、すべてのデバイスの値の論理和が「０」になったら、即ち、いずれかのデバイスの値が「０」になったら、当該機器機能ＩＤは、廃止され、不揮発性メモリ４にから削除される。
【００４７】
（実施の形態のまとめ）
以上のように、本実施の形態では、演算処理装置（ＣＰＵ）を含む処理装置１９と、演算用の作業用メモリ１８（ＤＲＡＭ）および初期プログラムなどを格納するフラッシュメモリなどの不揮発性メモリ４と、ドライブ装置５を持つ多目的情報機器１（モバイル装置）と、書換不可能層１６（ＲＯＭ層）と書換可能層１７（ＲＥ層）とを持つハイブリッドディスク１５（光学ディスク）を組み合わせることで、機器の内部に大容量の記憶領域を持たずに、様々なアプリケーションを実行することが可能となる。すなわち、本体内の不揮発性メモリ４に格納された必要最小限のＯＳあるいはアプリケーションを起動した後で、ハイブリッドディスク１５の書換不可能層１６に記録された高機能のアプリケーションソフトウェアを起動する。このアプリケーションソフトウェアで作成したデータや、次回起動時に必要なデータ等は、ハイブリッド光学ディスク１５の書換可能層１７に記録する。
【００４８】
例えば、本体内不揮発性メモリ４にＢＩＯＳを格納し、ハイブリッドディスク１５の書換不可能層１６にＯＳを格納し、書換可能層１７層に個別のソフトウェア、ソフトウェアによって作成されたデータを記録することで、ハイブリッドディスク１５の種類ごとに複数のＯＳを持つモバイルＰＣ（多目的情報機器１）を実現することできる。
【００４９】
あるいは、ハイブリッドディスク１５の書換不可能層１６に、映像を再生するソフトウェアを記録し、書換可能層１７に映像データを記録することで、映像録画・再生装置を実現することができる。同様にナビゲーションシステムや、ネットワークブラウザなどの機能を、ハイブリッドディスク１５と多目的情報機器１との組み合わせで実現することができる。
【００５０】
このようなシステムにおいて、各々の多目的情報機器１が持つデバイスによって、動作可能なアプリケーションが異なる場合がある。あるいは、後から拡張機能を持つデバイスを多目的情報機器１に接続することで、機能を拡張することが想定される。
【００５１】
そのような場合に、ハイブリッドディスク１５に格納されているアプリケーションソフトウェアと、多目的情報機器１側の能力が一致している必要がある。そこで、機能ごとにあるＩＤを振り分けておき、その機能ＩＤをディスクのＲＯＭ層にディスク機能ＩＤとして記録しておく。一方、多目的情報機器１（モバイル機器）側には、機器内の不揮発性メモリ４に実現可能な機能のＩＤを機器機能ＩＤとして記憶しておく。多目的情報機器１にハイブリッドディスク１５が挿入されたら、まず多目的情報機器１は、書換不可能層１６に記録されたディスク機能ＩＤを読み出し、不揮発性メモリ４に記録された機器機能ＩＤと比較する。ディスク機能ＩＤが機器機能ＩＤと対応付けられている場合には、書換不可能層に記録されたアプリケーションソフトウェアを起動する。もしディスク機能ＩＤが機器機能ＩＤと対応付けられていなければ、ハイブリッドディスク１５を自動的にイジェクトする。
【００５２】
また、多目的情報機器１に外部インターフェース６を持たせておき、外部に拡張機能をもったデバイスを接続した場合には、不揮発性メモリ４に機器機能ＩＤを追加する。拡張デバイスを接続した状態で、対応するハイブリッドディスク１５が挿入されたら対応可能とみなし、そのディスク内にあるアプリケーションソフトウェアを起動する。
【００５３】
例えば、多目的情報機器１がＧＰＳを備えている場合、この多目的情報機器１はナビゲーションとして動作可能な機器機能ＩＤを不揮発性メモリ４に記録しておく。ナビゲーションソフトが書換不可能層１６に記録され、更新する地図情報などが書換可能層１７に記録されたハイブリッドディスク１５が挿入されると、最初に書換不可能層１６に記録されたディスク機能ＩＤと多目的情報機器１側の機器機能ＩＤとを照合し、対応付けられていたらナビゲーションソフトウェアを起動する。
【００５４】
多目的情報機器１の外部インターフェース６に、ＧＰＳアンテナ１０及びタッチパネルモニター１１が接続されている場合には、ＧＰＳアンテナ１０及びタッチパネルモニター１１が装着された時点で、ナビゲーション機能に対応付けられた機器機能ＩＤが不揮発性メモリ４に登録され、ハイブリッドディスク１５の挿入時にナビゲーション機能が起動するようにする。
【００５５】
（プログラム及び記録媒体）
最後に、多目的情報機器１に含まれている各部は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００５６】
すなわち多目的情報機器は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【００５７】
この記録媒体は、上述した機能を実現するソフトウェアである多目的情報機器のプログラムのプログラムコード（実行形式プログラム、中間コードプログラム、ソースプログラム）をコンピュータで読み取り可能に記録していればよい。多目的情報機器に、この記録媒体を供給する。これにより、コンピュータとしての多目的情報機器（またはＣＰＵやＭＰＵ）が、供給された記録媒体に記録されているプログラムコードを読み出し、実行すればよい。
【００５８】
プログラムコードを多目的情報機器に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００５９】
また、多目的情報機器を通信ネットワークと接続可能に構成しても、本発明の目的を達成できる。この場合、上記のプログラムコードを、通信ネットワークを介して多目的情報機器に供給する。この通信ネットワークは多目的情報機器にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００６０】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６２】
本実施の形態に係る多目的情報機器では、外部デバイスを接続するための外部インターフェースと、前記外部インターフェースに接続された外部デバイスの種類に応じて、前記メモリに記録された機器機能ＩＤを更新するＩＤ更新手段とをさらに備えることが好ましい。
【００６３】
上記構成により、接続された外部デバイスの種類に応じて、ハイブリッドディスクにより、情報機器を多目的に使用することができる。
【００６４】
本実施の形態に係る多目的情報機器では、前記機器機能ＩＤは、モバイル機器の機能を表すＩＤと、ナビゲーション機器の機能を表すＩＤと、ハイブリッドディスクレコーダの機能を表すＩＤとを含むことが好ましい。
【００６５】
上記構成により、モバイル機器とナビゲーション機器とハイブリッドディスクレコーダとに、情報機器を多目的に使用することができる。
【００６６】
本実施の形態に係る多目的情報機器では、前記機器機能ＩＤは、ナビゲーション機器の機能とネットワーク機能とを表すＩＤを含むことが好ましい。
【００６７】
上記構成により、ナビゲーションの機能とネットワーク機能とを有する機器として、情報機器を多目的に使用することができる。
【産業上の利用可能性】
【００６８】
本発明は、アプリケーションソフトウェアと、このアプリケーションソフトウェアの機能に対応付けられたディスク機能ＩＤとが記録された書換不可能層と、この書換不可能層に積層された書換可能層とを有するハイブリッドディスクを駆動するドライブ装置を備えた多目的情報機器に適用することができる。
【符号の説明】
【００６９】
１  多目的情報機器
２  判定部（判定手段）
３  実行部（実行手段）
４  不揮発性メモリ
５  ドライブ装置（ドライブ手段）
６  外部インターフェース
７  モニター
８  キーボード
９  マウス
１０  ＧＰＳアンテナ
１１  タッチパネルモニター
１２  ＨＤＭＩ
１３  デジタルチューナー
１４  ネットワーク機器
１５  ハイブリッドディスク（記録媒体、光記録媒体）
１６  書換不可能層
１７  書換可能層
１８  作業用メモリ
１９  処理装置
２０  外部機器（外部デバイス）
【図１】
2011096565.tif 000003
【図２】
2011096565.tif 000004
【図３】
2011096565.tif 000005
【図４】
2011096565.tif 000006
【図５】
2011096565.tif 000007
【図６】
2011096565.tif 000008
【図７】
2011096565.tif 000009
【図８】
2011096565.tif 000010
【図９】
2011096565.tif 000011
【国際調査報告】
2011096565.tif 000012
2011096565.tif 000013
2011096565.tif 000014
2011096565.tif 000015